(57)【要約】【課題】装着者が横向きに寝ているときでも、横漏れを良好に防止することのできる吸収性物品を提供する。【解決手段】透液性の上側シートと、不透液性の下側シートと、前記上側シートと前記下側シートとの間に配置された吸収体層とを備え、前後方向に所定の長さと、前記前後方向に直交する幅方向に所定の幅とを有する略平面状の吸収性物品であって、前記吸収体層は、前記前後方向に延びる中心線の両側に離間して前記前後方向に沿って延在する肉厚部を有し、前記各肉厚部の平面視での外形形状は、前記幅方向内側に凹凸を有し、前記凹凸の凹部の位置に、厚み方向に貫通孔又は窪みが形成されている。【選択図】図１
2019170901.tif 000002
【特許請求の範囲】
【請求項１】
透液性の上側シートと、不透液性の下側シートと、前記上側シートと前記下側シートとの間に配置された吸収体層とを備え、前後方向に所定の長さと、前記前後方向に直交する幅方向に所定の幅とを有する略平面状の吸収性物品であって、
前記吸収体層は、前記前後方向に延びる中心線の両側に離間して前記前後方向に沿って延在する肉厚部を有し、
前記各肉厚部の平面視での外形形状は、前記幅方向内側に凹凸を有し、前記凹凸の凹部の位置に、厚み方向に貫通孔又は窪みが形成されている、吸収性物品。
【請求項２】
前記吸収体層の下側に、第２吸収体層が積層されており、
前記第２吸収体層は、平面視で、少なくとも１つの前記貫通孔又は窪みに重なるように前記前後方向に延在する、液体の拡散を促進する拡散部を有する、請求項１に記載の吸収性物品。
【請求項３】
前記吸収体層は、前記肉厚部の幅方向外側にそれぞれ、前記前後方向に延在する、液体の拡散を促進する拡散部を有し、
前記拡散部は、少なくとも１つの前記貫通孔又は前記窪みに連結している、請求項１に記載の吸収性物品。
【請求項４】
前記拡散部は、スリット若しくは溝であるか、又は周囲より吸収性が低い部分である、請求項２又は３に記載の吸収性物品。
【請求項５】
前記肉厚部は、装着時に股間に対応する股間対応領域に設けられている、請求項１から４のいずれか一項に記載の吸収性物品。
【請求項６】
前記肉厚部の前記外形形状は、部分円状又は部分楕円状の凸部が前記前後方向に複数並べられてなる形状を含み、前記凸部間に前記凹部が位置する、請求項１から５のいずれか一項に記載の吸収性物品。
【発明の詳細な説明】
【技術分野】
【０００１】
本発明は、吸収性物品に関する。
【背景技術】
【０００２】
吸収体を有する吸収性物品として、パッドタイプ、テープタイプ、パンツタイプ等の形態の使い捨ておむつの他、生理用ナプキンが知られている。このような吸収性物品は、透液性の上側シートと、不透液性の下側シートと、両シート間に介在された吸収体層とを備えた構成が一般的である。
【０００３】
上記吸収性物品としては、体液の横漏れを抑制するように吸収体層を構成したものがある。例えば、特許文献１には、幅方向の両端側に第１吸液部が、幅方向の中央側に第２吸液部が隣接して配置された吸収体（吸収体層）を有し、液体吸収時における第１吸液部の厚み方向への膨潤度が第２吸液部よりも大きい吸収性物品が開示されている。特許文献１に開示の構成によれば、両吸液部が膨潤した際に第１吸液部の厚みを第２吸液部よりも大きくすることができるので、吸収体の幅方向の両端側において吸収体の厚みを大きくすることができる。そのため、吸収体の両端側において吸収体をトップシート側に張り出させることができ、その張出部分によって、液体が吸収体の幅方向外側に流れるのを抑制することができる。
【先行技術文献】
【特許文献】
【０００４】
【特許文献１】特開２０１７−１８９２４３号公報
【発明の概要】
【発明が解決しようとする課題】
【０００５】
しかしながら、特許文献１に開示の構成は、液体を吸収して膨潤しないと機能しないので、装着後最初に多量の体液の排出があった場合には、幅方向外側への体液の流れを抑制できない場合がある。また、吸収体の両側部における吸収・拡散機能が十分でないため、吸収性物品の装着者が横向きに寝た状態で多量の体液の排出があった場合等には、体液が両側部を越えて横漏れが生じることがあった。
【０００６】
上記の点に鑑みて、装着者が横向きに寝た状態で体液の排出があった場合でも、横漏れを防止できる吸収性物品を提供することを課題とする。
【課題を解決するための手段】
【０００７】
本発明の第一の態様は、透液性の上側シートと、不透液性の下側シートと、前記上側シートと前記下側シートとの間に配置された吸収体層とを備え、前後方向に所定の長さと、前記前後方向に直交する幅方向に所定の幅とを有する略平面状の吸収性物品であって、
前記吸収体層は、前記前後方向に延びる中心線の両側に離間して前記前後方向に沿って延在する肉厚部を有し、前記各肉厚部の平面視での外形形状は、前記幅方向内側に凹凸を有し、前記凹凸の凹部の位置に、厚み方向に貫通孔又は窪みが形成されている。
【０００８】
上記第一の態様によれば、吸収体層は、前後方向中心線の両側に離間して前後方向に延びる肉厚部を有している。これにより、排出された体液が幅方向外側に移行しても肉厚部にて塞き止められるので、装着後最初に多量の体液が排出された場合でも、体液が幅方向外側に流れ出ることを防止することができる。また、肉厚部の平面視での外形形状は、前記幅方向内側に凹凸を有しているので、排出された体液を凹部へ誘導し、さらに凹部周辺及びその側方へと吸収・拡散させる作用を奏する。そして、凹部の位置に形成された貫通孔又は窪みによって、上記作用を向上させることができ、側部の吸収体を有効に活用することができる。
【０００９】
装着者が横向きに寝た状態で多量の体液が排出された場合等には、前後方向での体液の移行を促進させるだけでは横漏れを防止できない可能性がある。しかし、本形態によれば、側部の吸収体の吸収機能及び拡散機能を高めることができるので、横漏れを良好に防止することができる。
【００１０】
本発明の第二の態様では、前記吸収体層の下側に、第２吸収体層が積層されており、前記第２吸収体層は、平面視で、少なくとも１つの前記貫通孔又は窪みに重なるように前記前後方向に延在する、液体の拡散を促進する拡散部を有する。
【００１１】
上記第二の態様によれば、吸収体層の下側に第２吸収体層が積層されており、第２吸収体層には、吸収体層の貫通孔又は窪みに重なるように前後方向に延びる拡散部が形成されている。このため、上側の吸収体層にて貫通孔又は窪みに誘導されてきた体液を、下層の第２吸収体層に移行させ、吸収体の側部において前後方向に拡散させることができる。これにより、側部の吸収体を有効に活用することができる。また、本態様では、体液を速やかに下層へと送り込むことができるので、上層に滞留した体液が肌に触れることにより生じ得る不快感も低減できる。
【００１２】
上記第三の態様では、前記吸収体層は、前記肉厚部の幅方向外側にそれぞれ、前記前後方向に延在する、液体の拡散を促進する拡散部を有し、前記拡散部は、少なくとも１つの前記貫通孔又は前記窪みに連結している。
【００１３】
本発明の第三の態様によれば、肉厚部の幅方向外側においてそれぞれ前後方向に延在し、且つ貫通部又は窪みに接する拡散部を有している。このため、貫通孔又は窪みに誘導されてきた体液を、貫通孔又は窪みの幅方向外側の側部において前後方向に拡散させることができる。これにより、側部の吸収体を前後方向に沿って有効に活用することができる。
【００１４】
本発明の第四の態様では、前記拡散部は、スリット若しくは溝であるか、又は周囲より吸収性が低い部分である。
【００１５】
上記第四の態様によれば、拡散部が、スリット若しくは溝、又は周囲より吸収性が低い部分であるので、拡散部に到達した体液の前後方向に沿った拡散を促進させ、側部の吸収体を前後方向に沿ってより一層有効に活用することができる。
【００１６】
本発明の第五の態様では、前記肉厚部は、装着時に股間に対応する股間対応領域に設けられている。
【００１７】
上記第五の態様によれば、肉厚部が股間対応領域に設けられているので、排出された体液を、吸収体層の側部にて速やかに吸収、拡散させることができる。
【００１８】
本発明の第六の態様では、肉厚部は、部分円状又は部分楕円状の凸部が前記長手方向に複数並べられてなる形状を含み、前記凸部間に前記凹部が位置する。
【００１９】
上記第六の態様によれば、肉厚部が、部分円状又は部分楕円状の凸部が複数結合してなる形状を含むので、肉厚部の平面視での面積を増やすことができ、肉厚部における吸収体の量を多くすることができる。
【発明の効果】
【００２０】
本発明の一態様によれば、装着者が横向きに寝た状態で体液の排出があった場合でも、横漏れを防止できる吸収性物品を提供することができる。
【図面の簡単な説明】
【００２１】
【図１】本発明の第１実施形態による吸収性物品の平面図である。
【図２】図１のＩ−Ｉ線断面図である。
【図３】図１に示す吸収性物品の一部を示す平面図である。
【図４】図３のＩＩ−ＩＩ線断面図である。
【図５】図３のＩＩＩ−ＩＩＩ線断面図である。
【図６】図３の一部を拡大した図である。
【図７Ａ】肉厚部及び貫通孔の変形例を説明するための図である。
【図７Ｂ】肉厚部及び貫通孔の変形例を説明するための図である。
【図８】肉厚部の変形例を説明するための図である。
【図９】本発明の第２実施形態による吸収性物品の平面図である。
【図１０】図９のＩＶ−ＩＶ線断面図である。
【図１１】図９のＶ−Ｖ線断面図である。
【発明を実施するための形態】
【００２２】
以下、本発明の実施の形態について図面を参照しながら説明する。なお、各図面において、特に説明がない限り、同一の又は対応する構成については同一の符号を付して説明を省略する場合がある。
【００２３】
（吸収性物品の基本構造）
まず、本発明の実施形態による吸収性物品の基本的な構造について説明する。以下の説明においては、本発明の実施形態をパッドタイプ使い捨ておむつ（尿取りパッド）の例に基づき説明する。
【００２４】
図１に、本発明の一形態による吸収性物品１００の平面図を示す。また、図２に、図１のＩ−Ｉ線断面図を示す。図１及び図２に示すように、吸収性物品１００は、透液性の上側シート（トップシート又は表面シートともいう）２２と、不透液性の下側シート（バックシート又は裏面シートともいう）２１と、両シート２１、２２の間に設けられた吸収体層３０とを有している。吸収性物品１００を装着する際には、上側シート２２側が肌側となり、下側シート２１側は、アウター（外側のおむつ）や下着等に固定される側となる。
【００２５】
図１に示すように、吸収性物品１００は、平面視で、第１方向（前後方向又は縦方向）Ｄ１に所定の長さを有し、第１方向Ｄ１と直交する第２方向（幅方向又は横方向）Ｄ２に所定の幅を有している。図１の形態では、吸収性物品１００の幅は長さより短い。すなわち、吸収性物品１００は、全体として細長い形状を有している。なお、吸収性物品１００の前方及び後方は、装着時（吸収性物品１００を装着した状態）ではそれぞれ腹側及び背側に相当する。
【００２６】
また、図２に示すように、吸収性物品１００は略平面状である。略平面状とは、薄く広がりをもった平坦な形状（シート状又は層状ともいう）を指すが、表面が部分的に膨出しているものも含まれる。
【００２７】
吸収性物品１００の前後方向Ｄ１の長さ（全長）は、３５０〜７００ｍｍ程度、幅方向Ｄ２の長さ（全幅）は１３０〜４００ｍｍ程度とすることができる。吸収性物品１００の形状は、前後方向Ｄ１に延びる中心線ＣＬを対称線として線対称とすることができるが、必ずしも線対称である必要はない。また、吸収性物品１００の構成（上側シート２２、下側シート２１、吸収体層３０等の各要素の大きさ、形状、配置等）も線対称であってよいが、吸収性物品１００の形状と同様、線対称でなくてもよい。
【００２８】
図１の形態では、吸収性物品１００は、前後方向Ｄ１で見て中央付近に、股間対応領域ＲＣ１を有する。本明細書において、「股間対応領域」とは、使用時に身体の股間（股下）に対応させる部分を意味する。股間対応領域ＲＣ１は、例えば、吸収性物品１００の前後方向Ｄ１中央若しくはその近傍から前方の所定位置までの範囲であってもよいし、吸収性物品の前後方向Ｄ１中央の所定範囲であってよい。図１の形態では、吸収性物品１００には、幅が狭くなっている括れ部分が形成されているが、その括れ部分が形成されている領域若しくはその一部が股間対応領域ＲＣ１となっていてよく、括れ部分が形成されている領域が股間対応領域ＲＣ１の一部となっていてもよい。また、股間対応領域ＲＣ１の前方に隣接し、吸収性物品１００の前端までの領域が前方領域ＲＦ１となっており、股間対応領域ＲＣ１の後方に隣接し、吸収性物品１００の後端までの領域が後方領域ＲＢ１となっている。
【００２９】
吸収性物品１００の平面視形状は、上述のように、前後の領域に比べて幅が狭くなっている部分（括れ部分）を有するものでなく、前後方向Ｄ１にわたって幅が一定である矩形状等、他の形状とすることもできる。
【００３０】
股間対応領域ＲＣ１の前後方向Ｄ１の長さは１０〜１５０ｍｍ程度、前方領域ＲＦ１の前後方向Ｄ１の長さは５０〜３５０ｍｍ程度、後方領域ＲＢ１の前後方向Ｄ１の長さは５０〜３５０ｍｍ程度とすることができる。また、吸収性物品１００が括れ部分有する場合、その最小幅は、吸収性物品１００の全幅（括れ部分の前後における幅方向Ｄ２の長さ）の５０〜９０％程度であるのが好ましい。
【００３１】
下側シート２１は、吸収性物品１００と同じ形状及びサイズとすることができる。下側シート２１のサイズは、吸収体層３０よりも大きくてよい。下側シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。なお、下側シート２１の外面は、不織布等の外装シートにより覆うこともできる。
【００３２】
図１及び図２に示すように、吸収体層３０の上側には、上側シート２２が配置されている。図示の形態では、上側シート２２は、吸収体層３０の幅方向Ｄ２の端部の一部を覆っていないが、吸収体層３０全体を覆っていてもよい。上側シート２２としては、有孔又は無孔の不織布や穴あきプラスチックシートなどを用いることができる。不織布を構成する素材繊維としては、ポリエチレン、ポリプロピレン等のオレフィン系、ポリエステル系、アミド系等の合成繊維の他、レーヨン、キュプラ等の再生繊維、綿等の天然繊維を用いることができる。
【００３３】
図１及び図２に示すように、上側シート２２と吸収体層３０との間には、中間シート２５を介在させることができる。中間シート２５を設けることで、吸収体層３０により吸収した体液の逆戻りを防止することができる。そのため、中間シート２５としては、保水性が低く且つ液透過性の高い素材、例えば各種の不織布、メッシュフィルム等を用いるのが好ましい。
【００３４】
吸収体層３０の前後方向Ｄ１の両端部においては、下側シート２１と上側シート２２とが貼り合わされていてよい。また、吸収性物品１００の幅方向Ｄ２の両側部においては、下側シート２１と、吸収性物品１００の両側部に前後方向Ｄ１に沿ってそれぞれ設けられたギャザーシート２４、２４とが貼り合されている。
【００３５】
ギャザーシート２４としては、プラスチックシート、メルトブローン不織布等使用することもできるが、肌への感触性が良いという観点から、不織布にシリコーン等によって撥水処理をしたものが好適に使用される。
【００３６】
図１及び図２に示すように、ギャザーシート２４、２４はそれぞれ、上側シート２２上に重ねられている。そして、各キャザーシート２４の幅方向Ｄ２の内側の端部には、前後方向Ｄ１に沿って伸張状態で固定された弾性部材が設けられていてもよい。この弾性部材は、糸状、紐状、帯状等に形成された、スチレン系ゴム、オレフィン系ゴム、ウレタン系ゴム、エステル系ゴム等から製造されたものであってよい。
【００３７】
また、ギャザーシート２４は、図１の斜線で示す範囲において、その直下に配置されている上側シート２２、包装シート２６、又は下側シート２１と接合されていてよい。そして、上述のように、ギャザーシート２４の幅方向Ｄ２の内側の端部に弾性部材を設けることによって、ギャザーシート２４の接合されていない部分（すなわち、幅方向Ｄ２の内側の領域であって、その両端部を除く領域）が、吸収性物品１００の表側（上側シート側）に起立するギャザーＧ、Ｇとなり得る。ギャザーＧ、Ｇによって、側方への体液の漏れ等を防ぐことができる。
【００３８】
なお、ギャザーシート２４、２４と下の構成要素との接合は、例えば、ホットメルト接着剤、ヒートシール、超音波シールによって形成できる。
【００３９】
図１に示すように、吸収体層３０は、吸収性物品１００と同様に、全体として細長い形状を有している。図示の形態では、吸収体層３０の平面視形状は、吸収性物品１００の全体の平面視形状と同様に、括れ部分を有している。しかし、吸収体層３０の平面視形状は、吸収性物品１００の平面視形状に関わらず、例えば、前後方向Ｄ１にわたって幅が一定である括れ部分のない矩形状等とすることもできる。なお、図示のように吸収体層３０が括れ部分を有する場合、括れ部分の最小幅は、括れ部分の前後における幅方向Ｄ２の長さの５０〜７５％程度とすることができる。
【００４０】
図１及び図２に示すように、吸収体層３０は、不織布やクレープ紙等の包装シート２６によって全体が又は部分的に包まれていてもよい。また、後述のように吸収体層３０が複数層からなる場合には、各層が包装シートによって包まれていてもよいし、包装シートが層間に挟まれていてもよい。包装シート２６は、無着色（すなわち、白色）であってもよいし、着色されていてもよい。色は、排出された体液の色を目立たなくすることができる色、例えば体液の色に近い色、又は体液の色の補色若しくはそれに近い色等にすることができる。
【００４１】
図１に示すように、吸収体層３０は、前後方向Ｄ１で見て中央付近に、股間対応領域ＲＣ２を有しており、この股間対応領域ＲＣ２は、上記の吸収性物品１００の股間対応領域ＲＣ１に対応している。そして、股間対応領域ＲＣ２の前方に隣接し、吸収体層３０の前端までの領域が前方領域ＲＦ２となっており、股間対応領域ＲＣ２の後方に隣接し、吸収体層３０の後端までの領域が後方領域ＲＢ２となっている。
【００４２】
なお、上記の括れ部分の一部を構成し得る吸収体層３０の股間対応領域ＲＣ２は、図示のように、吸収体層３０の前半分の領域に配置されていてもよいし、製品全体の構成によっては、吸収体層３０の前後方向Ｄ１の中央に配置されていてもよい。
【００４３】
吸収体層３０は、繊維又はフィラメントを含む。吸収体層３０は、例えば、パルプ繊維の積繊体、セルロースアセテート等のフィラメントの集合体、不織布等であってよい。また、吸収体層３０としては、上記の繊維又はフィラメントに加え、必要に応じて粒子状等の高吸収性ポリマーを混合、固着等してなるものを用いることができる。高吸収性ポリマー粒子を混合する場合等、粒子のこぼれを防ぐために、吸収体層３０は包装シート２６で包まれていることが好ましい。
【００４４】
吸収体層３０（後述のように、吸収体層が複数ある場合には各吸収体層）における繊維目付及び高吸収性ポリマーの目付は適宜定めることができるが、繊維目付は１００〜７００ｇ／ｍ2程度とするのが好ましく、また吸収性ポリマーを含む場合、その目付は５０〜５５０ｇ／ｍ2程度とするのが好ましい。
【００４５】
（第１実施形態）
第１実施形態は、図１に示す吸収性物品１００とすることができる。第１実施形態を、図１の吸収性物品１００の一部を示す図３に基づき説明する。図３は、図１に示す構成から、上側シート２２、中間シート２５、ギャザーシート２４、及び包装シート２６を省略した状態を示す。また、図４に、図３のＩＩ−ＩＩ線断面を模式的に示し、図５に、図３のＩＩＩ−ＩＩＩ線断面を模式的に示す。
【００４６】
第１実施形態による吸収性物品１００においては、吸収体層３０は、上側の第１吸収体層３１と下側の第２吸収体層３２とが積層されてなる（図４及び図５）。図示の形態では、第１吸収体層３１と第２吸収体層３２とは、平面視で同じ形状及び大きさを有するが、両層の形状及び大きさは互いに異なっていてもよい。
【００４７】
図３に示すように、上側の第１吸収体層３１は、前後方向中心線ＣＬの両側に離間して、前後方向Ｄ１に延在する肉厚部３４、３４を有している。肉厚部３４は、周囲よりも厚みの大きい部分である（図４及び図５）。肉厚部３４は、吸収体層を製造する際に、肉厚部３４を形成したい場所が盛り上がるように積繊できる型を用いて形成することができる。また、均一な厚みを有する吸収体層を準備し、その上に、肉厚部３４を形成したい部分に吸収体層片を積層させることによって形成することもできる。図４及び図５に示す形態は、前者の方法により形成されたものである。
【００４８】
肉厚部３４の最大厚みｆ（図４及び図５）は、１０〜４０ｍｍ程度とすることができる。なお、肉厚部３４以外の部分の吸収体層３１の厚みｇは、３〜３０ｍｍ程度とすることができる（図４及び図５）。また、吸収体層３０全体の厚みは、３〜４０ｍｍ程度であってよい。
【００４９】
図３に示すように、肉厚部３４、３４が第１吸収体層３１の両側部に設けられていることによって、幅方向Ｄ２外側に移行してきた体液を塞き止めることができる。そのため、吸収性物品１００の装着後に最初に多量の体液が排出された場合でも、体液が幅方向Ｄ２外側に流れ出ることを防止することができ、幅方向Ｄ２外側への体液の漏れを防止することができる。
【００５０】
図３に示すように、肉厚部３４は、第１吸収体層３１（吸収体層３０）の股間対応領域ＲＣ２又は吸収性物品１００の股間対応領域ＲＣ１に形成されている。これにより、排出された体液を直ちに、肉厚部３４を含む吸収体の側部にて吸収、拡散させることができる。
【００５１】
なお、股間対応領域ＲＣ２（又は股間対応領域ＲＣ１）に形成されているとは、肉厚部３４の少なくとも一部が、股間対応領域ＲＣ２（又は股間対応領域ＲＣ１）内に延在することを意味する。肉厚部３４は、図示の形態のように、股間対応領域ＲＣ２（又は股間対応領域ＲＣ１）の前端及び後端の両方を越えて延在していてもよいし、肉厚部３４の前端及び後端のいずれか一方が、股間対応領域ＲＣ２（又は股間対応領域ＲＣ１）を越えて延在していていてもよい。また、肉厚部３４の全体が、股間対応領域ＲＣ２（又は股間対応領域ＲＣ１）内に配置されていてもよい。
【００５２】
肉厚部３４は、平面視で、凹凸のある外形形状を有しており、肉厚部３４の外形形状のこの凹凸は、少なくとも幅方向Ｄ２内側に形成されている。このため、体液を凹部３５に良好に誘導することができる。
【００５３】
肉厚部があっても凹部がなく貫通孔もない構成では、体液の前後方向Ｄ１の移行を促すことができると考えられるが、肉厚部自体及びその側部若しくは周辺で体液を吸収・拡散させる機能は十分ではない。よって、急な排出があった場合には、体液を前後方向Ｄ１の移行を促しても十分でなく、体液が肉厚部を乗り越えて幅方向Ｄ２外側へ体液が流れ出てしまう可能性もある。
【００５４】
これに対し、本形態では、肉厚部の幅方向Ｄ２内側の外形形状が凹凸を有しているので、前後方向Ｄ１に移行する体液も凹部３５に引き込むことができる。そのため、肉厚部３４にてより多くの体液を捉えることができる。よって、肉厚部３４及びその周辺、すなわち、第１吸収体層３１の側部における体液の吸収及び拡散を促進させることができ、第１吸収体層３１の側部をより有効に活用することができる。これにより、装着者が横向きに寝た状態で急な多量の体液の排出があった場合等でも、幅方向Ｄ２外側への体液の漏れを良好に防止することができる。
【００５５】
さらに、図３に示すように、凹部３５の位置には貫通孔３７が形成されている。本明細書において、貫通孔（或いは貫通部）とは、吸収体層を略厚み方向に貫通する孔を意味する。すなわち、吸収体層３０（第１実施形態では、第１吸収体層３１及び第２吸収体層３２を含む）の面方向に対して略垂直な方向に沿って形成された孔である。なお、略厚み方向とは、厚み方向に対して±１５°、好ましくは±５°程度傾いた方向であってよい。貫通孔３７は、その部分に吸収体が配置されないようにして吸収体層を積繊することによって形成することができるし、また孔のない吸収体層を形成した後、パンチ等によって穿孔することによって形成することもできる。
【００５６】
貫通孔３７が、凹部３５の位置に形成されていることで、体液を凹部３５へと誘導する上記作用を一層高めることができる。また、誘導された体液を貫通孔３７の縁部から周囲へと吸収・拡散させることができるので、吸収体の側部において体液を吸収及び拡散させる作用も向上させることができる。
【００５７】
次に、肉厚部３４及び貫通孔３７の構成についてより詳細に説明する。図６に、肉厚部３４付近を拡大した図（図３の部分拡大図）を示す。図６に示すように、肉厚部３４は、平面視で、複数の部分円形状の凸部３６が、同じ向きで並べられた形状を有することができる。図示の形状は、貫通孔３７がないと仮定した場合に、複数の部分円が連結位置３５Ａで連結した形状となり得るものである。そして、この連結位置３５Ａを含む部分が凹部３５となっている。連結位置３５Ａは、凹部３５の底点（凹部３５のうち最も幅方向Ｄ２外側に位置する点）に相当する。この肉厚部３４の平面視形状について別の言い方をすれば、凸部３６、３６、…と凹部３５、３５、…が交互に配置された形状といえる。
【００５８】
肉厚部３４において、上記の凸部３６の数は、２以上であればよく、吸収性物品１００のサイズや用途等に応じて適宜変更することができるが、３〜６程度であると好ましい。よって、凹部３５の数は２〜５程度であると好ましい。
【００５９】
肉厚部３４の凸部３６の幅方向Ｄ２内側への張出し部分の長さｂは、５〜３０ｍｍであると好ましく、１０〜２５ｍｍであるとより好ましい。ｂを１５ｍｍ以上とすることで、体液を凹部３５に引き込む作用を向上させることができる。また、ｂを１５ｍｍ以下とすることで、装着状態において肉厚部３４が身体に当たることにより生じ得る違和感を低減できる。なお、この張出し部分の長さｂは、平面視で、肉厚部３４の輪郭線が貫通孔３７の縁に達する位置から、凸部３６の頂点３６Ａまでの幅方向Ｄ２の距離である。よって、貫通孔３７の大きさや形状によっても変化する。
【００６０】
肉厚部３４の凸部３６間の距離ｃ（凸部３６の頂点３６Ａ間の距離）は、２０〜５０ｍｍであると好ましく、２５〜４５ｍｍであるとより好ましい。ｃを上記範囲とすることで、凹部３５に体液を引き込みやすくすることができる。
【００６１】
上記の寸法ｂ及びｃはそれぞれ、肉厚部３４の全体にわたって同じであってもよいし、異なっていてもよい。異なっている場合、前方又は後方に向かって値が漸次大きくなっていってもよいし、小さくなっていてもよい。また、肉厚部３４又は股間対応領域ＲＣ２の前後方向Ｄ１の中央に向かって、値が漸次大きくなっていってもよいし、小さくなっていてもよい。上記寸法は、吸収性物品１００のサイズや全体の構成、用途等に応じて、適宜設定することができる。
【００６２】
図示の形態では凸部３６の形状は部分円形を含むが、凸部３６の形状は特に限定されない。凸部３６は、部分楕円であってもよいし、三角形、四角形等の多角形であってもよい。例えば、幅方向Ｄ２内側に短辺が配置された台形であってもよい。図７Ａ及び図７Ｂに、肉厚部３４の平面視形状の変形例を示す。
【００６３】
図７Ａの例では、肉厚部３４の幅方向Ｄ２内側の凹凸の形状は、貫通孔３７がないと仮定した場合に、連続する波状の曲線となり得るものである。このような波状の曲線は、図示のように接線方向が連続して変化する形状であってもよいし、接線方向の変化が不連続であってもよい。また、図７Ｂの例では、肉厚部３４の幅方向Ｄ２内側の凹凸の形状は、三角形を含む。
【００６４】
なお、図３及び図６に示すように、本形態における肉厚部３４は、吸収体層３１の幅方向Ｄ２の端部まで延在しているが、肉厚部３４が吸収体層３１の幅方向Ｄ２の端部の手前まで延在する構成とすることもできる。但し、肉厚部３４が、吸収体層３１の幅方向Ｄ２の端部まで延在していると、吸収体層３１（ひいては吸収体層３０全体）の側部での吸収容量を大きくすることができ、好ましい。
【００６５】
図８に、肉厚部３４の別の変形例を示す。図８は、図４の断面図に相当する断面図（図３のＩＩ−ＩＩ線で切った断面図）である。図８の例では、肉厚部３４の厚みが均一ではなく、幅方向Ｄ２中央の厚みが厚くなっている。より具体的には、肉厚部３４の上部の断面視形状が曲線状の輪郭を有している。また、肉厚部３４を前後方向Ｄ１に延びる線で切った場合に、その上部の断面視形状の輪郭が曲線を含んでいてもよい。例えば、各凸部３６の前後方向Ｄ１に沿った断面視形状が、ドーム状になっていてもよい。
【００６６】
貫通孔３７は、図３の形態では、平面視で円形であるが、貫通孔３７の平面視形状は図示のものに限られない。例えば、楕円、三角形、四角形等の多角形、星形等にすることができる。貫通孔３７の平面視形状を、中心から貫通孔３７の輪郭線までの距離が場所によって変動する形状、特に星形とした場合には、吸収体が膨潤しても貫通孔３７が潰れにくくなるため、好ましい。
【００６７】
貫通孔３７の大きさは、平面視形状が円形である場合には、その直径が５〜２０ｍｍであると好ましく、７〜１５ｍｍであるとより好ましい。貫通孔３７の直径が５ｍｍ以上であることで、吸収体が体液を吸収して膨潤しても貫通孔３７が潰れにくい。また、貫通孔３７の直径が２０ｍｍ以下であることで、吸収体の量が過度に減ることを防ぎ、十分な吸収容量を確保することができる。なお、貫通孔３７の平面視形状が円形でない場合には、同等の面積を有する円形の直径が、上記と同様の範囲にあると好ましい。
【００６８】
また、貫通孔３７は、これに代えて窪みとすることもできる。ここで、窪みとは、略厚み方向に窪んだ部分を意味し、貫通孔とは異なり、窪みが形成された場所には吸収体が存在している。窪みは、上側から下側へと窪むものであってもよく、下側から上側へと窪むものであってもよい。窪みは、その部分だけ目付が小さくなるように積繊を行うことによって形成することができるし、或いは、平坦に形成された吸収体層を上側又は下側から圧搾することによって形成することもできる。
【００６９】
図３及び図６に示すように、貫通孔３７は、凹部３５の位置に設けられている。図示の形態では、肉厚部３４の部分円状の凸部３６の仮想の連結位置３５Ａに、貫通孔３７の中心が配置されるように設けられている。しかし、この配置は、前後方向Ｄ１及び／又は幅方向Ｄ２にずれていてもよい。例えば、貫通孔３７の縁が、肉厚部３４の部分円状の凸部３６の連結位置３５Ａに接するように設けられていてもよい。図７Ｂに示す形態では、貫通孔３７の縁が、凸部３６の連結位置３５Ａに接している。
【００７０】
第１実施形態では、図３〜図５に示すように、吸収体層３１の下側に積層されている第２吸収体層３２に、拡散部３８が設けられている。拡散部３８は、吸収された液体（体液）の拡散を促進させることのできる機能を有するものであれば、その構成は特に限定されない。
【００７１】
図３に示すように、拡散部３８は、上側の吸収体層３１に形成された貫通孔３７と平面視で重なるように、前後方向Ｄ１に延在している。これにより、貫通孔３７に集められた（誘導された）体液を、下層の第２吸収体層３２に速やかに移行させることができる。そして、体液を、下側の第２吸収体層３２において、拡散部３８に沿って体液を前後方向Ｄ１に誘導し、その際、拡散部３８の側方の吸収体、及び構成によっては拡散部３８自体にも体液を吸収・拡散させることができる。
【００７２】
拡散部３８は、平面視で、少なくとも１つの貫通孔３７と重なっていればよい。但し、拡散部３８が全ての貫通孔３７と重なるように延在している場合には、拡散部３８が貫通孔３７から多くの体液を直接受けとめ、前後方向Ｄ１に拡散させることができるので、好ましい。
【００７３】
上記のような第１実施形態の構成により、吸収体の側部を、吸収体層３０を厚み方向にも有効に活用することができる。本形態では、体液を速やかに下層に移行させることができるので、体液が上層に滞留することも防止することができ、肌に触れる体液を低減することができ、装着感を向上させることができる。
【００７４】
図示の形態では、拡散部３８の幅が、貫通孔３７の直径と同様の幅を有しており、拡散部３８は、拡散部３８の中心線（拡散部３８の幅方向Ｄ２中央を通る中心）が貫通孔３７の中心を通るように配置されている（図３〜図５）。しかし、拡散部３８は、その一部が平面視で貫通孔３７と重なるように配置してもよい。また、貫通孔３７の中心が拡散部３８の中心線を通らない配置とすることもできる。
【００７５】
上述のように拡散部３８の構成は限定されないが、拡散部３８は、スリット又は溝であることが好ましい。本形態において、スリットとは、前後方向Ｄ１に沿って幅狭に形成された、吸収体層３２を厚み方向に貫通する部分であり、その部分には吸収体が残されていない。また、溝とは、前後方向Ｄ１に沿って幅狭に形成された、吸収体層３２を上側又は下側から窪ませた部分である。図示の形態では、拡散部３８はスリットとして形成されている（図４及び図５）。
【００７６】
また、拡散部３８は、周囲より吸収性の低い部分とすることができる。具体的には、拡散部３８は、少量の高吸収性ポリマーを含む部分とすることもできる。例えば、拡散部３８の周囲の部分に含まれる高吸収性ポリマーの量１００％と比較して、高吸収性ポリマーの量が５０％以下、好ましくは３０％以下、より好ましくは１０％以下である部分とすることができる。また、拡散部３８が高吸収性ポリマーを実質的に含まず、上述の繊維状の材料からなっていることが好ましい。
【００７７】
拡散部３８の幅（幅方向Ｄ２の長さ）は、５〜３０ｍｍ程度とすることができる。また、拡散部３８の長さも特に限定されず、２００〜３５０ｍｍ程度とすることができる。
【００７８】
拡散部３８は、前後方向中心線ＣＬの一方の側に複数形成されていてもよく、その場合の配置は、平面視で、第１吸収体層３７に形成された貫通孔３７と重なっているのであれば、特に限定されない。
【００７９】
このように、本形態では、肉厚部３４、貫通孔３７、及び拡散部３８を備えていることで、吸収体層の側部を有効に活用することができ、これにより、体液を吸収体層全体にわたって吸収させることができる。言い換えれば、吸収体層全体の吸収能を発揮させることができる。
【００８０】
（第２実施形態）
図９に、第２実施形態による吸収性物品２００の一部を示す。図９は、吸収性物品２００から、上側シート、中間シート、包装シートを省略した状態を示す。また、図１０に、図９のＩＶ−ＩＶ線断面を模式的に示し、図１１に、図９のＶ−Ｖ線断面を模式的に示す。
【００８１】
第２実施形態による吸収性物品２００の基本的な構成は、第１実施形態による吸収性物品１００と同様であるが、吸収体層として、一層の吸収体層２３０が配置されており、肉厚部２３４と拡散部２３８とが同じ層に形成されている点で異なる。
【００８２】
第２実施形態においても、図９に示すように、肉厚部２３４、２３４は、前後方向中心線ＣＬの両側に離間して前後方向Ｄ１に沿って延在している。肉厚部２３４の平面視の外形形状は、幅方向Ｄ２内側に凹凸を有する形状であり、その凹凸の凹部２３５に貫通孔２３７が形成されている。よって、第１実施形態と同様に、体液を凹部２３５に誘導することができ、凹部２３５及びその周辺に体液を吸収・拡散させることができるので、側部の吸収体を有効活用することができる。そのため、装着者が横向きに寝た状態で多量の体液の排出があっても、横漏れを防止することができる。なお、第２実施形態における肉厚部２３４及び貫通孔２３７の構成（サイズ、形状、配置）に関しては、第１実施形態（吸収性物品１００）で説明したものと同様である。
【００８３】
図９に示すように、拡散部２３８は、肉厚部２３４の幅方向Ｄ２外側にそれぞれ、前後方向Ｄ１に延在するように配置されている。各拡散部２３８は、少なくとも１つの貫通孔２３７に連結している。したがって、凹部２３５に誘導され、貫通孔２３７に引き込まれた体液を、さらに拡散部２３８に誘導させることができる。そして、拡散部２３８では、その延在方向である前後方向Ｄ１に沿って体液を誘導させることができる。その際、拡散部２３８の側方の吸収体において体液を吸収・拡散させることができる。このように、拡散部２３８によって、側部の吸収体をより一層有効に活用することができるので、幅方向Ｄ２外側へと流れる体液を側部で吸収・拡散させることができ、横漏れを防ぐことができる。
【００８４】
拡散部２３８は全ての貫通孔２３７に連結していなくてもよい。しかし、拡散部２３８は、貫通孔２３７に引き込んだ体液を速やかに拡散部２３８に移行させ、前後方向Ｄ１に拡散させることができるので、全ての貫通孔２３７に連結していることが好ましい。
【００８５】
また、図９では、拡散部２３８は、拡散部２３８の中心線（拡散部３８の幅方向Ｄ２中央を通る中心）が貫通孔３７の中心を通るように配置されているが、拡散部２３８と貫通孔２３７の位置関係は、図示のものに限られない。拡散部２３８が、図示の位置より幅方向Ｄ２外側にずれている、例えば、貫通孔２３７の幅方向Ｄ２外側に隣接していてもよい。
【００８６】
拡散部２３８の構成も、第１実施形態において説明したものと同様とすることができる。すなわち、拡散部２３８は、スリット又は溝とすることができる。拡散部２３８がスリットである場合には、拡散部２３８と貫通孔２３７とが一体となって貫通部が形成されることになる。また、拡散部２３８が溝であり、貫通孔２３７に代えて、窪みが形成されている場合には、拡散部２３８と窪みとが連結して、吸収体層２３０に厚みの小さい部分が形成されることになる。この際、拡散部２３８が設けられている吸収体層２３０の部分の厚みと、窪みが設けられている部分の吸収体層の厚みとは同じであってもよいし、異なっていてもよい。
【００８７】
なお、第２実施形態においては、拡散部２３８より幅方向Ｄ２外側に吸収体層が存在していることが好ましい。そして、この拡散部２３８より幅方向Ｄ２外側に存在する吸収体層の幅（すなわち、吸収体層２３０の側端から拡散部２３８までの距離）は、吸収容量を大きくする観点から、拡散部２３８の幅より大きいことが好ましい。
【００８８】
第２実施形態における吸収体層２３０の厚みは、３〜４０ｍｍ程度とすることができる。
【００８９】
以上、具体的な形態について、パッドタイプの使い捨ておむつを例に説明してきたが、本形態は、テープタイプ、パンツタイプ等の他の形態の使い捨ておむつの他、生理用ナプキンにおいても適用することができる。
【符号の説明】
【００９０】
２１  下側シート
２２  上側シート
２４  ギャザーシート
２５  中間シート
２６  包装シート
３０、２３０  吸収体層
３１  第１吸収体層
３２  第２吸収体層
３４、２３４  肉厚部
３５、２３５  凹部
３５Ａ、２３５Ａ  隣り合う凸部の連結位置（凹部の底点）
３６、２３６  凸部
３６Ａ、２３６Ａ  凸部の頂点
３７、２３７  貫通孔又は窪み
３８、３８２  拡散部
１００、２００  吸収性物品
ＣＬ  前後方向中心線（第１方向Ｄ１に沿った中心線）
Ｄ１  前後方向（第１方向）
Ｄ２  幅方向（第２方向）
Ｇ  ギャザー
ＲＣ１  （吸収性物品の）股間対応領域
ＲＦ１  （吸収性物品の）前方領域
ＲＢ１  （吸収性物品の）後方領域
ＲＣ２  （吸収体の）股間対応領域
ＲＦ２  （吸収体の）前方領域
ＲＢ２  （吸収体の）後方領域
【図１】
2019170901.tif 000003
【図２】
2019170901.tif 000004
【図３】
2019170901.tif 000005
【図４】
2019170901.tif 000006
【図５】
2019170901.tif 000007
【図６】
2019170901.tif 000008
【図７Ａ】
2019170901.tif 000009
【図７Ｂ】
2019170901.tif 000010
【図８】
2019170901.tif 000011
【図９】
2019170901.tif 000012
【図１０】
2019170901.tif 000013
【図１１】
2019170901.tif 000014